(57)【要約】【課題】  室内機を複数備える空気調和機において、冷暖混在運転を実現するための簡単な構成を提供すると共に、冷房能力と暖房能力の差に応じて、効率良く室外機を運転させる。【解決手段】  空気調和機１は、室外機２に複数の室内機６が接続されている。室外機２は、第１室外熱交換器２１と第２室外熱交換器２６とを備え、第１室外熱交換器２１と四方弁１３をつなぐ第１の配管１８には第２開閉弁２０が設けられ、さらに第２開閉弁２０と第１室外熱交換器２１との間には、第２バイパス配管２３が接続されている。【選択図】    図１
2006170541.tif 000002
【特許請求の範囲】
【請求項１】
圧縮機、四方弁、第１室外熱交換器、第２室外熱交換器及び膨張弁を備えた室外機と、室内熱交換機、及び膨張弁を備えた複数の室内機と、前記室内機と前記室外機とを冷暖切換装置を介して接続する高圧ガス配管、低圧ガス配管、及び液配管とを有し、
前記四方弁において、その第１のポートには前記圧縮機が接続され、第２のポートには前記第１、第２室外熱交換器が並列に接続された後に前記膨張弁を介して前記液配管が接続され、第３のポートには前記高圧ガス配管が接続され、第４のポートには前記低圧ガス配管に接続され、前記第２のポートと前記第１、第２室外熱交換器との間には第１バイパス配管が接続され、この第１バイパス配管は第１開閉弁が設けられると共に、前記高圧ガス配管に接続されており、前記第１バイパスの接続点と前記第１室外熱交換器との間には第２バイパス配管が接続され、この第２バイパス配管は前記第３のポートと前記高圧ガス配管の前記第１バイパス配管の接続点よりも前記第３のポート寄りに設けられた逆止弁との間に接続されており、複数の前記室内機が全体として冷房を主体として運転する時には前記第１、第２のポート同士と、前記第３、第４のポート同士がそれぞれ接続される一方で、暖房を主体として運転する時には、前記第１、第３のポート同士と、前記第２、第４のポート同士がそれぞれ接続されることを特徴とする空気調和機。
【請求項２】
前記第２のポートから前記第１室外熱交換器に接続される配管において、前記第１バイパス配管の接続点から前記第２バイパス配管の接続点の間に第２開閉弁を設けると共に、前記第２バイパス配管に第３開閉弁を設けたことを特徴とする請求項１に記載の空気調和機。
【請求項３】
前記膨張弁は、前記第１室外熱交換器に直接に接続され、冷媒の流量を調整可能な第１流量制御弁と、前記第２室外熱交換器に直接に接続され、冷媒の流量を調整可能な第２流量制御弁とであることを特徴とする請求項１又は請求項２に記載の空気調和機。
【請求項４】
冷房を主体として運転する時に、冷房運転をする前記室内機と、暖房運転をする前記室内機との運転容量差が所定の容量以下の場合に、前記第１、第３開閉弁を開き、前記第２開閉弁を閉じることを特徴とする請求項２に記載の空気調和機。
【請求項５】
暖房を主体として運転する時に、冷房運転をする前記室内機と、暖房運転をする前記室内機との運転容量差が所定の容量以下の場合に、前記第１、第２開閉弁を閉じ、前記第３開閉弁を開くことを特徴とする請求項２に記載の空気調和機。
【発明の詳細な説明】
【技術分野】
【０００１】
本発明は、複数の室内機を備え、冷暖混在運転が可能な空気調和装置に関する。
【背景技術】
【０００２】
複数の室内機が１つの室外機に並列に接続された空気調和機としては、圧縮機に対して、容量の異なる２つの室外熱交換器を並列に配置し、これら室外熱交換器を通流する冷媒の流れを３方弁、及び電磁弁で切り替え、運転状態となる室外熱交換器を選択すると共に、室外送風機の風量を段階的に切り替えて能力制御を行うものがある（例えば、特許文献１参照）。また、切換弁の数を削減した空気調和機としては、四方弁の第１のポートに圧縮機の吐出側の配管を接続し、第２のポートに２つの室外熱交換器を並列に接続し、第３のポートに室外機に接続される高圧ガス配管を接続し、第４のポートに冷媒を圧縮機に回収する配管を接続したものがある（例えば、特許文献２参照）。複数の室内機が全体として冷房運転を主体とするとき（冷房主体運転時）には、第１のポートと第２のポートとを接続させ、第３のポートと第４のポートとを接続させる。複数の室内機が全体として暖房運転を主体とするとき（暖房主体運転時）には、第１のポートと第３のポートとを接続させ、第２のポートと第４のポートとを接続させる。このような空気調和機では、切換弁の数を減少させることでコストの低減や、装置サイズの抑制を図ることができる。
【特許文献１】特開平９−６０９９４号公報
【特許文献２】特開２００４−３３２９６１号公報
【発明の開示】
【発明が解決しようとする課題】
【０００３】
しかしながら、特許文献１に開示されている空気調和機では、流路を切り替える切換弁が室外熱交換器ごとに必要であり、このような切換弁は、三方弁や、四方弁のように高価で、大型の弁であるので、装置が高コスト化、大型化するという問題があった。また、２つの室外熱交換器として容量の異なるものを使用すると、同一容量の一般的なマルチタイプの空気調和機に比べて異なる設計が必要になり、コストアップの原因となっていた。
特許文献２に開示されている空気調和機では、冷暖混在運転を行う際に、冷房運転する室外機の出力と、暖房運転する室外機との出力との差に応じて効率良く室外機を運転させることが望まれていた。
この発明は、このような事情に鑑みてなされたものであり、その目的とするところは、室内機を複数備える空気調和機において、冷暖混在運転を実現するための簡単な構成を提供すると共に、冷房能力と暖房能力の差に応じて、効率良く室外機を運転させることである。
【課題を解決するための手段】
【０００４】
上記の課題を解決する本発明の請求項１に係る発明は、圧縮機、四方弁、第１室外熱交換器、第２室外熱交換器及び膨張弁を備えた室外機と、室内熱交換機、及び膨張弁を備えた複数の室内機と、前記室内機と前記室外機とを冷暖切換装置を介して接続する高圧ガス配管、低圧ガス配管、及び液配管とを有し、前記四方弁において、その第１のポートには前記圧縮機が接続され、第２のポートには前記第１、第２室外熱交換器が並列に接続された後に前記膨張弁を介して前記液配管が接続され、第３のポートには前記高圧ガス配管が接続され、第４のポートには前記低圧ガス配管に接続され、前記第２のポートと前記第１、第２室外熱交換器との間には第１バイパス配管が接続され、この第１バイパス配管は第１開閉弁が設けられると共に、前記高圧ガス配管に接続されており、前記第１バイパスの接続点と前記第１室外熱交換器との間には第２バイパス配管が接続され、この第２バイパス配管は前記第３のポートと前記高圧ガス配管の前記第１バイパス配管の接続点よりも前記第３のポート寄りに設けられた逆止弁との間に接続されており、複数の前記室内機が全体として冷房を主体として運転する時には前記第１、第２のポート同士と、前記第３、第４のポート同士がそれぞれ接続される一方で、暖房を主体として運転する時には、前記第１、第３のポート同士と、前記第２、第４のポート同士がそれぞれ接続されることを特徴とする空気調和機とした。
この空気調和機では、冷房主体運転時には、第２室外熱交換器を凝縮器として運転させて液冷媒を生成し、この液冷媒から、室内機側の蒸発能力と凝縮能力との差に相当する液冷媒を室内機に供給し、残りを第１室外熱交換器に供給してガス冷媒に変換し、第２バイパス配管を通って圧縮機に吸入させる。また、暖房主体運転時には、ガス冷媒の一部を第２バイパスを通して第１室外熱交換器に供給し、ここで生成される液冷媒を、室内機から第２室外熱交換器に供給される液冷媒と合流させる。
【０００５】
請求項２に係る発明は、請求項１に記載の空気調和機において、前記第２のポートから前記第１室外熱交換器に接続される配管において、前記第１バイパス配管の接続点から前記第２バイパス配管の接続点の間に第２開閉弁を設けると共に、前記第２バイパス配管に第３開閉弁を設けたことを特徴とする。
この空気調和機では、冷房主体運転時、又は暖房主体運転時には、第１バイパス配管の接続点から第２バイパス配管の接続点の間の第２開閉弁を閉じて、第２バイパス配管の第３開閉弁を開き、各室外熱交換器に冷媒を順番に通流させる。また、冷房運転時や、暖房運転時には、第１バイパス配管の接続点から第２バイパス配管の接続点の間の第２開閉弁を開いて、第２バイパス配管の第３開閉弁を閉じ、両室外熱交換器のそれぞれに同じ向きで冷媒を通流させる。
【０００６】
請求項３に係る発明は、請求項１又は請求項２に記載の空気調和機において、前記膨張弁は、前記第１室外熱交換器に直接に接続され、冷媒の流量を調整可能な第１流量制御弁と、前記第２室外熱交換器に直接に接続され、冷媒の流量を調整可能な第２流量制御弁とであることを特徴とする
空気調和機では、例えば、冷房主体運転時には、第２室外熱交換器側の第２流量制御弁で流量制御を行う。室内機に供給する液冷媒を多くするときには、第２流量制御弁の開度を小さくする。
【０００７】
請求項４に係る発明は、請求項２に記載の空気調和機において、冷房を主体として運転する時に、冷房運転をする前記室内機と、暖房運転をする前記室内機との運転容量差が所定の容量以下の場合に、前記第１、第３開閉弁を開き、前記第２開閉弁を閉じることを特徴とする。
この空気調和機では、圧縮機から吐出されるガス冷媒は、第２開閉弁が閉じているので、第１室外熱交換器には直接に流入せずに、第１バイパスと、第２室外熱交換器とに分流する。第２室外熱交換器で熱交換により形成された液冷媒は、一部が室内機に供給され、残りが第１室外熱交換器を通って、第２バイパス配管から圧縮機に回収される。このように第２室外熱交換器を凝縮器、第１室外熱交換器を蒸発器として運転させることで、室外機側の運転容量を、室内機側の運転容量差に合わせて減少させる。
【０００８】
請求項５に係る発明は、請求項２に記載の空気調和機において、暖房を主体として運転する時に、冷房運転をする前記室内機と、暖房運転をする前記室内機との運転容量差が所定の容量以下の場合に、前記第１、第２開閉弁を閉じ、前記第３開閉弁を開くことを特徴とする。
この空気調和機では、圧縮機から吐出されるガス冷媒が高圧ガス配管と、第２バイパスとに分流する。第２バイパス配管を通るガス冷媒は、第２開閉弁が閉じているので、第１室外熱交換器に流入する。第１室外熱交換器で熱交換によって形成された液冷媒は、室内機から回収される液冷媒と合流して第２室外熱交換器に流入し、ガス冷媒となる。このガス冷媒は、第１開閉弁が閉じていることから第１バイパス配管には流れずに、四方弁から圧縮機に回収される。このように第１室外熱交換器を凝縮器、第２室外熱交換器を蒸発器として運転させることで、室外機側の運転容量を、室内機側の運転容量差に合わせて減少させる。
【発明の効果】
【０００９】
本発明によれば、複数の室内機が冷暖混在運転し、かつ室内機側の蒸発能力と凝縮能力との差が所定の容量以下となるときに、２つの室外熱交換器の一方を凝縮器、他方を蒸発器として運転させることで互いの能力を一部相殺させ、室外機全体としての凝縮能力、又は蒸発能力を小さくして、室内機側の能力差とバランスさせるようにしたので、各室内機の運転状況に応じて、効率良く運転させることができる。また、流路調整手段を開閉弁とすると、装置構成が簡略化し、装置の小型化、及び低コスト化が図れる。
【発明を実施するための最良の形態】
【００１０】
発明を実施するための最良の形態について図面を参照しながら詳細に説明する。
図１に示すように、この実施形態に係る空気調和装置１は、室外機２を１つ有し、この室外機２に高圧ガス配管３、液配管４、低圧ガス配管５、及び冷暖切換機３５を介して複数の室内機６が並列に接続され、室内機群７が形成されている。
【００１１】
室外機２は、圧縮機１０を有し、圧縮機１０の吐出配管１１は、オイルセパレータ１２を介して、四方弁１３の第１のポート１３Ａが接続されている。四方弁１３は、不図示の制御装置の切り替え制御によって流路を切り替え可能になっており、図１では第１のポート１３Ａと、第２のポート１３Ｂとが接続し、第３のポート１３Ｃと第４のポート１３Ｄとが接続しているが、第１のポート１３Ａと、第３のポート１３Ｃとを接続し、第２のポート１３Ｂと第４のポート１３Ｄとを接続させることもできる。
四方弁１３の第２のポート１３Ｂには、配管１４が接続されており、この配管１４の途中には、第１バイパス配管１５が接続されており、この第１バイパス配管１５は、順番に、電磁弁からなる第１開閉弁１６と、逆止弁１７とが設けられた後に、高圧ガス配管３に接続されている。逆止弁１７は、高圧ガス配管３側からのガス冷媒の逆流を防止するように設定されている。なお、高圧ガス配管３は、四方弁１３の第３のポート１３Ｃと、各室外機６との間に配設されている配管である。
【００１２】
さらに、配管１４には、第１の配管１８と、第２の配管１９とが接続されており、第１の配管１８中には、流路切換手段として機能する第２開閉弁２０と、第１室外熱交換器２１と、流量制御弁としての第１膨張弁２２とが直列に配設されている。第２開閉弁と、第１室外熱交換器２１との間には、第２バイパス配管２３が接続されており、この第２バイパス配管２３には、流路切換手段である第３開閉弁２４が配設された後に、高圧ガス配管３の四方弁１３側に接続されている。なお、各開閉弁２０，２４には、全閉可能な電磁弁を用いることができる。また、高圧ガス配管３には、第１バイパス配管１５の接続点と第２バイパス配管２３の接続点との間に、逆止弁２５が配設されている。この逆止弁２５は、室内機６側からのガス冷媒の逆流を防止するように設定されている。
【００１３】
また、第２の配管１９には、第２室外熱交換器２６と、流量調整弁である第２膨張弁２７とが直列に配設された後に、第１の配管１８と合流している。合流後の配管２８は、レシーバタンク２９を介して液配管４に接続されている。
さらに、四方弁１３の第４のポート１３Ｄには、配管３０が接続されており、この配管３０は、低圧ガス配管５と合流した後に、アキュームレータ３１を介して圧縮機１０の吸入配管３２に接続されている。
【００１４】
ここで、室外機２から室内機群７に向かって延設される高圧ガス配管３、液配管４、及び低圧ガス配管５は、冷暖切換機３５内で分岐した後に各室内機６に接続されている。高圧ガス配管３の分岐配管３Ａには、開閉弁３６が設けられている。低圧ガス配管５の分岐配管５Ａには、開閉弁３７が設けられている。これら分岐配管３Ａと、分岐配管５Ａとは、一本ずつ合流し、室内機６の室内熱交換器３８の一端側に接続されている。液配管４の分岐配管４Ａには、室内機６内で膨張弁３９が設けられており、室内熱交換機３８の他端側に接続されている。
【００１５】
次に、この実施の形態の作用について説明する。なお、この空気調和装置１では、複数の室内機６の全てが冷房となる冷房運転と、全てが暖房となる暖房運転と、室内機６ごとに冷房運転と暖房運転とが混在する冷暖混在運転とを実施することができる。冷暖混在運転の場合には、主に冷房主体運転、又は暖房主体運転を実施することができる。冷房主体運転とは、冷房運転が支配的、つまり室内機群７の蒸発能力の合計値の方が凝縮能力の合計値よりも大きくなる運転である。暖房主体運転とは、暖房運転が支配的、つまり室内機群７の凝縮能力の合計値の方が蒸発能力の合計値よりも大きくなる運転である。
【００１６】
まず、冷房運転時には、四方弁１３を第１のポート１３Ａと第２のポート１３Ｂとが接続するように切り換え、第１、第３開閉弁１６，２４を閉じ、第２開閉弁２０を開く。さらに、各膨張弁２２，２７を所定の同じ開度に設定する。冷暖切換機３５では、開閉弁３６を全て閉じ、開閉弁３７を全て開く。圧縮機１０から吐出される高圧のガス冷媒は、２つの室外熱交換機２１，２６のそれぞれを通り、高圧の液冷媒となり、各膨張弁２２，２７で減圧された後に、レシーバタンク２９を経て液配管４を通り、冷房運転している各室内機６において膨張弁３９でさらに減圧された後に室内熱交換機３８を通って低圧のガス冷媒となり、このときに吸収する蒸発熱で室内を冷房する。ガス冷媒は、分岐配管５Ａを通って低圧ガス配管５から圧縮機１０に回収される。
【００１７】
暖房運転時には、四方弁１３を第１のポート１３Ａと第３のポート１３Ｃとが接続するように切り換え、第１、第３開閉弁１６，２４を閉じ、第２開閉弁２０を開く。さらに、各膨張弁２２，２７を所定の同じ開度に設定する。冷暖切換機３５では、開閉弁３６を開き、開閉弁３７を閉じる。圧縮機１０から吐出される高圧のガス冷媒は、高圧ガス配管３から、分岐配管３Ａを通って、暖房運転している各室内機６の室内熱交換機３８において液冷媒となり、このときに凝縮熱を放出して室内を暖房する。液冷媒は、膨張弁３９で減圧された後に、分岐配管４Ａから液配管４を通ってレシーバタンク２９に流入する。ここから第１の配管１８、及び第２の配管１９のそれぞれに分流し、各膨張弁２２，２７でさらに減圧された後に各室外熱交換器２１，２６で低圧のガス冷媒に変換され、四方弁１３に第２のポート１３Ｂから入り、第３のポート１３Ｄから出て、配管２０を通って、圧縮機１０に回収される。
【００１８】
さらに、冷房主体運転時の作用について、図２に示す具体例を参照して説明する。なお、図２には、各室内機６を区別するために室内機ごとに６Ａから６Ｄの符号を付してある。また、室内機６Ｃが蒸発能力１．０ＨＰ（英馬力）で冷房運転し、室内機６Ｄが凝縮能力０．７ＨＰで暖房運転する場合が図示されている。
冷暖切換機３５では、室内機６Ｃ側の開閉弁３７と、室内機６Ｄ側の開閉弁３６とが開き、他の開閉弁３６，３７は全て閉じる。室内機６Ｃでは、液配管４の分岐配管４Ａから液冷媒が供給され、熱交換によって室内を冷房し、低圧のガス冷媒を分岐配管５Ａを通して低圧ガス配管５に排出する。室内機６Ｄでは、高圧ガス配管３からガス冷媒が供給され、熱交換によって室内を暖房し、液冷媒を分岐配管４Ａを通して液配管４に排出する。この結果、室内機６Ｃで１．０ＨＰ相当の液冷媒を消費するのに対して、室内機６Ｄで０．７ＨＰ相当の液冷媒を生成するので、両者の能力差である０．３ＨＰ相当の液冷媒が不足する。この液冷媒の不足分を室外機２から供給すれば良いが、通常、第１、第２室外熱交換器２１，２６の容量は、大きく設計されており、例えば、それぞれ３ＨＰに相当する。このような場合には、いずれの室外熱交換器２１，２６の能力も過大であり、例えば、いずれかの室外熱交換器２１，２６を０．３ＨＰの凝縮器として運転すると、熱バランスが崩れて、運転効率が下がってしまう。
【００１９】
このため、室外機２は、四方弁１３を第１のポート１３Ａと第２のポート１３Ｂとが接続するように切り換える。さらに、第１開閉弁１６を開き、第２開閉弁２０を閉じ、第３開閉弁２４を開く。圧縮機１０からの高圧のガス冷媒は、第１バイパス配管１５と、第２の配管１９とに分流し、それぞれ高圧ガス配管３と、第２室外熱交換器２６とに供給される。第２室外熱交換器２６で生成された高圧の液冷媒は、液配管４と、第１室外熱交換器２１とに分流し、第１室外熱交換器２１では低圧のガス冷媒が生成される。そして、このガス冷媒を第２バイパス配管２３から四方弁１３、配管３０を経て圧縮機１０に回収する。この際に、第２膨張弁２７を全開にし、第１膨張弁２２で減圧、及び流量制御を行い、第２室外熱交換器２６を凝縮能力３．０ＨＰで運転させる一方で、第１室外熱交換器２１を蒸発能力２．７ＨＰで運転させる。その結果、両室外熱交換器２１，２６の能力差０．３ＨＰに相当する液冷媒が余る状態、つまり室外機２全体としての凝縮能力が０．３ＨＰになり、室外機３から供給される液冷媒によって、前記した室内機６Ｃ，６Ｄ側の液冷媒の不足分が充足される。なお、圧縮機１０から吐出される高圧のガス冷媒は、第１バイパス配管１５を通って、高圧ガス配管３から室外機６Ｄに供給されるが、高圧ガス配管の四方弁１３側には、逆止弁２５が設けられているので、第１バイパス配管１５を流れる高圧のガス冷媒と、第２バイパス配管２３を流れる低圧のガス冷媒とが混合されることはない。また、このような冷房主体運転においては、圧縮機１０、高圧ガス配管３、各室内機６Ｃ，６Ｄ、液配管４、低圧ガス配管５を循環する経路が第１冷媒循環回路となり、両室外熱交換器２１，２６を通る経路が第２冷媒循環回路となる。
【００２０】
さらに、暖房主体運転時の作用について、図３に示す具体例を参照して説明する。なお、図３には、室内機６Ａが蒸発能力０．７ＨＰで冷房運転し、室内機６Ｂが凝縮能力１．０ＨＰで暖房運転する場合が図示されている。
冷暖切換機３５では、室内機６Ａ側の開閉弁３７と、室内機６Ｂ側の開閉弁３６とが開き、他の開閉弁３６，３７は全て閉じる。室内機６Ａでは、液配管４の分岐配管４Ａから液冷媒が供給され、熱交換によって室内を冷房し、低圧のガス冷媒を分岐配管５Ａを通して低圧ガス配管５に排出する。室内機６Ｂでは、高圧ガス配管３からガス冷媒が供給され、熱交換によって室内を暖房し、液冷媒を分岐配管４Ａを通して液配管４に排出する。この結果、室内機６Ａで０．７ＨＰ相当の液冷媒を消費するのに対して、室内機６Ｂで１．０ＨＰ相当の液冷媒を生成するので、両者の能力差である０．３ＨＰ相当の液冷媒が過剰になる。この液冷媒の過剰分を室外機２で回収すれば良いが、前記と同様に、例えば、いずれかの室外熱交換器２１，２６を０．３ＨＰの蒸発器として運転させると、熱バランスが崩れて、運転効率が下がってしまう。
【００２１】
このため、室外機２は、四方弁１３を第１のポート１３Ａと第３のポート１３Ｃとが接続するように切り換える。さらに、第１の開閉弁１６、及び第２開閉弁２０を閉じ、第３開閉弁２４を開いて、圧縮機１０からの高圧のガス冷媒を、高圧ガス配管３と、第２バイパス配管２３とに分流させる。第２バイパス配管２３を通流するガス冷媒は、第１室外熱交換器２１で液冷媒となる。この液冷媒は、液配管４から回収される液冷媒と合流して、第２室外熱交換器２６に供給され、低圧のガス冷媒となり、配管１４、四方弁１３、及び配管３０を通って、圧縮機１０に回収される。この際に、第１膨張弁２２を全開にし、第２膨張弁２７で減圧、及び流量制御を行い、第１室外熱交換器を凝縮能力２．７ＨＰで運転させる一方で、第２室外熱交換器２６を蒸発能力３．０ＨＰで運転させると、室外機２のトータルとしての蒸発能力が０．３ＨＰとなり、室内機６Ａ，６Ｂで生じる液冷媒の過剰分を蒸発させることが可能になる。なお、このような暖房主体運転においては、圧縮機１０、高圧ガス配管３、各室内機６Ａ，６Ｂ、液配管４、低圧ガス配管５を循環する経路が第１冷媒循環回路となり、両室外熱交換器２１，２６を通る経路が第２冷媒循環回路となる。
【００２２】
この実施の形態では、冷房運転時、又は暖房運転時に、並列に接続される第１、第２室外交換機２１，２６を有し、四方弁１３で冷媒の流通方向を切り換えるように構成し、さらに第２バイパス配管２３で第３のポート１３Ｃと第１室外熱交換器２１とを接続可能にし、圧縮機１０からのガス冷媒を両室外熱交換器２１，２６に順番に通流させるようにした。したがって、両室外熱交換器２１，２６の一方を凝縮器とし、他方を蒸発器として用いることが可能になり、両室外熱交換器２１，２６の能力の一部を相殺させ、トータルとしての熱交換能力を小さくすることができる。これによって、冷暖混在運転時に、室内機６側の蒸発能力（冷房能力）と凝縮能力（暖房能力）の差が所定容量以下の場合でも、室内機６側と室外機２側とのバランスを保つことができる。この際に、第１室外熱交換器２１と四方弁１３の第２のポート１３Ｂとの間に第２開閉弁２０を設け、第２バイパス配管２３に第３開閉弁２４を設けたので、弁の開閉動作だけで流路を切り換えることができる。また、各室外熱交換器２１，２６ごとに第１、第２膨張弁２２，２７を設けたので、冷媒の圧力制御に加えて、各室外熱交換器２１，２６に供給される冷媒の量を制御することが可能になり、熱交換器の能力制御を容易に行うことができる。また、１つの四方弁１３と、３つの開閉弁１６，２０，２４によって、冷房運転と、暖房運転と、冷房主体運転と、暖房主体運転とを切り換えて実施することが可能であり、装置を小型化、かつ低コスト化することができる。
【００２３】
なお、本発明は前記の実施の形態に限定されず、本発明の趣旨を逸脱しない範囲で応用することができる。
例えば、逆止弁１７を設けずに、第１開閉弁１６のみを設けても良い。
また、第１開閉弁１６の代わりに、流量調整弁としての膨張弁を設け、各膨張弁２２，２７の代わりに、配管２８中に膨張弁を１つ設けても同様の作用、及び効果が得られる。流路切換手段は、第１の配管１８と第２バイパス配管２３との接続点に設けられた三方弁にすることもできる。
【図面の簡単な説明】
【００２４】
【図１】本発明の実施の形態に係る空気調和機のシステム構成を示す図である。
【図２】冷房主体運転時の冷媒の流れを説明する図である。
【図３】暖房主体運転時の冷媒の流れを説明する図である。
【符号の説明】
【００２５】
１      空気調和機
２      室外機
３      高圧ガス配管
４      液配管
５      低圧ガス配管
６、６Ａ、６Ｂ、６Ｃ、６Ｄ    室内機
１０    圧縮機
１３    四方弁（切換弁）
１３Ａ  第１のポート
１３Ｂ  第２のポート
１３Ｃ  第３のポート
１３Ｄ  第４のポート
１４    配管
１５    第１バイパス配管
２０    第２開閉弁
２１    第１室外熱交換器
２２    第１膨張弁
２３    第２バイパス配管
２４    第３開閉弁
２６    第２室外熱交換器
２７    第２膨張弁
【図１】
2006170541.tif 000003
【図２】
2006170541.tif 000004
【図３】
2006170541.tif 000005